【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
電流を供給されて発光する発光部と、前記発光部から発せられた光を受光し受光量に関連する値を出力する受光部と、前記発光部の発光を制御する制御手段と、を有する画像形成装置であって、
画像形成指令を受けた後、前記制御手段は、前記受光部から出力された前記値と目標設定信号に基づいて設定される基準値との比較によって第１電流と第２電流とを重畳した電流及び第２電流をそれぞれ調整する調整工程を行い、前記調整工程の後に前記第１電流と前記第２電流とを重畳した電流、又は第２電流を前記発光部に供給して前記発光部を発光させ、
前記調整工程は、前記発光部に前記第１電流と前記第２電流を重畳した電流を供給して前記第１電流を調整する第１電流調整工程と、前記発光部に前記第１電流を供給することなく前記第２電流を供給して前記第２電流を調整する第２電流調整工程と、を含み、
前記制御手段は、前記画像形成指令を受けると、１回目の前記第２電流調整工程、１回目の前記第１電流調整工程、２回目の前記第２電流調整工程、２回目の第１電流調整工程の順で調整工程を実行し、
前記１回目の前記第２電流調整工程を実行する期間が、前記２回目の前記第２電流調整工程を実行する期間よりも長いことを特徴とする画像形成装置。
【請求項２】
電流を供給されて発光する発光部と、前記発光部から発せられた光を受光し受光量に関連する値を出力する受光部と、前記発光部の発光を制御する制御手段と、を有する画像形成装置であって、
画像形成指令を受けた後、前記制御手段は、前記受光部から出力された前記値と目標設定信号に基づいて設定される基準値との比較によって第１電流と第２電流とを重畳した電流及び第２電流をそれぞれ調整する調整工程を行い、前記調整工程の後に前記第１電流と前記第２電流とを重畳した電流、又は第２電流を前記発光部に供給して前記発光部を発光させ、
前記調整工程は、前記発光部に前記第１電流と前記第２電流を重畳した電流を供給して前記第１電流を調整する第１電流調整工程と、前記発光部に前記第１電流を供給することなく前記第２電流を供給して前記第２電流を調整する第２電流調整工程と、を含み、
前記制御手段は、前記画像形成指令を受けると、１回目の前記第２電流調整工程、１回目の前記第１電流調整工程、２回目の前記第２電流調整工程、２回目の第１電流調整工程の順で調整工程を実行し、
前記１回目の前記第２電流調整工程用に前記目標設定信号により設定される前記基準値の目標値が、前記２回目の前記第２電流調整工程用に前記目標設定信号により設定される前記基準値の目標値よりも大きいことを特徴とする画像形成装置。
【請求項３】
電流を供給されて発光する発光部と、前記発光部から発せられた光を受光し受光量に関連する値を出力する受光部と、前記発光部の発光を制御する制御手段と、を有する画像形成装置であって、
画像形成指令を受けた後、前記制御手段は、前記受光部から出力された前記値と目標設定信号に基づいて設定される基準値との比較によって第１電流と第２電流を重畳した電流及び第２電流をそれぞれ調整する調整工程を行い、前記調整工程の後に前記第１電流と前記第２電流とを重畳した電流、又は第２電流を前記発光部に供給して前記発光部を発光させ、
前記調整工程は、前記発光部に前記第１電流と前記第２電流を重畳した電流を供給して前記第１電流を調整する第１電流調整工程と、前記発光部に前記第１電流を供給することなく前記第２電流を供給して前記第２電流を調整する第２電流調整工程と、を含み、
前記制御手段は、前記画像形成指令を受けると、１回目の前記第２電流調整工程、１回目の前記第１電流調整工程、２回目の前記第２電流調整工程、２回目の第１電流調整工程の順で調整工程を実行し、
前記１回目の前記第１電流調整工程用に前記目標設定信号により設定される前記基準値の目標値が、前記２回目の前記第１電流調整工程用に前記目標設定信号により設定される前記基準値の目標値よりも小さいことを特徴とする画像形成装置。
【請求項４】
前記調整工程で、前記制御手段は、前記受光部から出力された前記値と前記基準値としての基準電圧値との差分を小さくするよう前記第１電流と前記第２電流とをそれぞれ調整することを特徴とする請求項１乃至３のいずれか一項に記載の画像形成装置。
【請求項５】
前記制御手段は、前記第２電流調整工程における前記基準電圧値を出力する回路を備え、前記回路には、前記目標設定信号に基づいて充電され、前記基準電圧値となる電圧を出力するコンデンサが設けられていることを特徴とする請求項４に記載に画像形成装置。
【請求項６】
前記制御手段は、前記調整工程の後に前記第１電流と前記第２電流とを重畳した電流、又は第２電流を前記発光部に供給して前記発光部を発光させることで、前記発光部から発せられた光で感光体を露光して潜像を形成する露光工程を実行し、
前記第１電流と前記第２電流とを重畳した電流を前記発光部に供給することで、前記発光部は、帯電された前記感光体の電位を現像剤を付着させる為の電位に減衰させる光量で発光し、前記第１電流を供給することなく前記第２電流を前記発光部に供給することで、前記発光部は、帯電された前記感光体の電位を現像剤を付着させない為の電位に減衰させる光量で発光することを特徴とする請求項１乃至５のいずれか一項に記載の画像形成装置。
【手続補正２】
【補正対象書類名】明細書
【補正対象項目名】０００７
【補正方法】変更
【補正の内容】
【０００７】
そこで本発明は、電流を供給されて発光する発光部と、前記発光部から発せられた光を受光し受光量に関連する値を出力する受光部と、前記発光部の発光を制御する制御手段と、を有する画像形成装置であって、画像形成指令を受けた後、前記制御手段は、前記受光部から出力された前記値と目標設定信号に基づいて設定される基準値との比較によって第１電流と第２電流とを重畳した電流及び第２電流をそれぞれ調整する調整工程を行い、前記調整工程の後に前記第１電流と前記第２電流とを重畳した電流、又は第２電流を前記発光部に供給して前記発光部を発光させ、前記調整工程は、前記発光部に前記第１電流と前記第２電流を重畳した電流を供給して前記第１電流を調整する第１電流調整工程と、前記発光部に前記第１電流を供給することなく前記第２電流を供給して前記第２電流を調整する第２電流調整工程と、を含み、前記制御手段は、前記画像形成指令を受けると、１回目の前記第２電流調整工程、１回目の前記第１電流調整工程、２回目の前記第２電流調整工程、２回目の第１電流調整工程の順で調整工程を実行し、前記１回目の前記第２電流調整工程を実行する期間が、前記２回目の前記第２電流調整工程を実行する期間よりも長いことを特徴とする。
【手続補正３】
【補正対象書類名】明細書
【補正対象項目名】０００８
【補正方法】変更
【補正の内容】
【０００８】
また本発明は、電流を供給されて発光する発光部と、前記発光部から発せられた光を受光し受光量に関連する値を出力する受光部と、前記発光部の発光を制御する制御手段と、を有する画像形成装置であって、画像形成指令を受けた後、前記制御手段は、前記受光部から出力された前記値と目標設定信号に基づいて設定される基準値との比較によって第１電流と第２電流とを重畳した電流及び第２電流をそれぞれ調整する調整工程を行い、前記調整工程の後に前記第１電流と前記第２電流とを重畳した電流、又は第２電流を前記発光部に供給して前記発光部を発光させ、前記調整工程は、前記発光部に前記第１電流と前記第２電流を重畳した電流を供給して前記第１電流を調整する第１電流調整工程と、前記発光部に前記第１電流を供給することなく前記第２電流を供給して前記第２電流を調整する第２電流調整工程と、を含み、前記制御手段は、前記画像形成指令を受けると、１回目の前記第２電流調整工程、１回目の前記第１電流調整工程、２回目の前記第２電流調整工程、２回目の第１電流調整工程の順で調整工程を実行し、前記１回目の前記第２電流調整工程用に前記目標設定信号により設定される前記基準値の目標値が、前記２回目の前記第２電流調整工程用に前記目標設定信号により設定される前記基準値の目標値よりも大きいことを特徴とする。
【手続補正４】
【補正対象書類名】明細書
【補正対象項目名】０００９
【補正方法】変更
【補正の内容】
【０００９】
また本発明は、電流を供給されて発光する発光部と、前記発光部から発せられた光を受光し受光量に関連する値を出力する受光部と、前記発光部の発光を制御する制御手段と、を有する画像形成装置であって、画像形成指令を受けた後、前記制御手段は、前記受光部から出力された前記値と目標設定信号に基づいて設定される基準値との比較によって第１電流と第２電流を重畳した電流及び第２電流をそれぞれ調整する調整工程を行い、前記調整工程の後に前記第１電流と前記第２電流とを重畳した電流、又は第２電流を前記発光部に供給して前記発光部を発光させ、前記調整工程は、前記発光部に前記第１電流と前記第２電流を重畳した電流を供給して前記第１電流を調整する第１電流調整工程と、前記発光部に前記第１電流を供給することなく前記第２電流を供給して前記第２電流を調整する第２電流調整工程と、を含み、前記制御手段は、前記画像形成指令を受けると、１回目の前記第２電流調整工程、１回目の前記第１電流調整工程、２回目の前記第２電流調整工程、２回目の第１電流調整工程の順で調整工程を実行し、前記１回目の前記第１電流調整工程用に前記目標設定信号により設定される前記基準値の目標値が、前記２回目の前記第１電流調整工程用に前記目標設定信号により設定される前記基準値の目標値よりも小さいことを特徴とする。